(57)【要約】【課題】  開口が狭い計量部に粉体を投入する際に、粉体の飛散を効果的に防止することができる計量容器を提供することを課題とする。【解決手段】  長さ方向に延びるように形成され、計量部３を有し、計量部３の開口部４から長さ方向に突出する端壁５が設けられ、且つその端壁５の少なくとも一部、例えば主端壁１３が計量部３の外周壁６から角度を付けて外側に張り出している。好ましくは、端壁５が、長さ方向に等しく突出しておらず、端壁５の一部のみが長さ方向に最も突出していることが望ましい。【選択図】  図３
2013184705.tif 000002
【特許請求の範囲】
【請求項１】
長さ方向に延びるように形成され、計量部を有し、計量部の開口部から長さ方向に突出する端壁が設けられ、且つその端壁の少なくとも一部が計量部の外周壁から角度を付けて外側に張り出していることを特徴とする計量容器。
【請求項２】
計量部の内面と端壁の内面とが滑らかに連続している請求項１記載の計量容器。
【請求項３】
端壁は、長さ方向に等しく突出しておらず、端壁の一部のみが長さ方向に最も突出している請求項１又は請求項２記載の計量容器。
【請求項４】
開口が計量容器の長さ方向に対して傾斜している請求項３記載の計量容器。
【請求項５】
計量部の外周壁であって、最も突出している端壁部分に対向する側の表面に目盛が付されている請求項３又は請求項４記載の計量容器。
【請求項６】
計量容器の、最も突出している端壁の部分がある側に計量容器を持つための摘みが設けられている請求項３乃至請求項５のいずれか一項記載の計量容器。
【請求項７】
袋クリップが計量容器に取り付けられている請求項１乃至請求項６のいずれか一項記載の計量容器。
【請求項８】
袋クリップは、一対の封止部により袋の口を両側から挟み係止手段により封止部を結合する構成を有しており、一方の封止部にクリップの係止を解除するための係止解除片が設けられており、該係止解除片が摘みである請求項７記載の計量容器。
【発明の詳細な説明】
【技術分野】
【０００１】
本発明は、主にドライイーストなどの粉体を数グラム単位で計量するのに適した計量容器に関する。
【背景技術】
【０００２】
近年、家庭用のパン焼き器も普及し、家庭でパンを作る機会も多くなった。その際、パンの大きさに合わせて適量のドライイーストが入れられるが、例えば一斤なら３ｇ、二斤なら６ｇ、半斤なら１．５ｇというように正確な計量が要求され、１ｇの差異でも生じれば、パンの出来上がりに大きな影響が出てしまう。そのため、素人でも簡単且つ正確に計量できるように、各目盛の間隔が広い方が良い。周囲が外周壁で囲われ且つ底壁を有する計量容器であって、開口面と底壁が共に水平であり、開口面が底壁よりも広い計量容器は従来から存在している。このような計量容器は開口を広くして被計量物の投入を容易にしているが、比較的量の多い液体や粉体の計量に適するものであり、数グラム単位の粉体を計量することは不向きである。なぜならば、数グラム単位の粉体を計量するためには、１グラム単位で目盛を付ける必要があり、各目盛の間隔が狭いと正確に計量することができない。そのために、計量部を細長く形成して目盛の間隔を広げる必要があるが、そのようにすると開口が狭くなって袋の中の粉体を円滑に投入することができない。特に、計量容器を一方の手に持ち粉体の収納袋を他方の手に持って粉体を投入するときは、袋を持つ手が不安定なので、投入中に袋が動いて粉体の投入方向がずれ粉体を飛散させてしまうこともある。したがって、粉体を少量の数グラム単位で計量するときは、計量スプーンに盛った粉体をすり切ることにより行われる。計量スプーンの掬い部の内面に複数の目盛を付したものがあるが、計量するためには粉体の表面を平らにならす必要がある。しかし、液体と異なり粉体の表面を平らにならす作業は手間がかかり、スプーンを振ってならそうとすれば粉体が飛散する虞もある。したがって、スプーンによる計量は粉体を掬い部に盛ってすり切ることによってほとんど行われている。そのために、計量スプーンで計量しようとするときは計量する量ごとにスプーンを揃えなければならなかった。また、必要なスプーンがどこに保管してあるかわからない場合もあって不便であった。
【先行技術文献】
【特許文献】
【０００３】
【特許文献１】意匠登録第１０４２４３２号号公報
【発明の概要】
【発明が解決しようとする課題】
【０００４】
本発明は、開口が狭い計量部に粉体を投入する際に、粉体の飛散を効果的に防止することができる計量容器を提供しようとするものである。
【課題を解決するための手段】
【０００５】
本発明の請求項１は、長さ方向に延びるように形成され、計量部を有し、計量部の開口部から長さ方向に突出する端壁が設けられ、且つその端壁の少なくとも一部が計量部の外周壁から角度を付けて外側に張り出している構成である。
【０００６】
請求項２は、計量部の内面と端壁の内面とが滑らかに連続している構成である。
【０００７】
請求項３は、端壁が、長さ方向に等しく突出しておらず、端壁の一部のみが長さ方向に最も突出している構成である。
【０００８】
請求項４は、開口が計量容器の長さ方向に対して傾斜している構成である。
【０００９】
請求項５は、計量部の外周壁であって、最も突出している端壁部分に対向する側の表面に目盛が付されている構成である。
【００１０】
請求項６は、計量容器の、最も突出している端壁の部分がある側に計量容器を持つための摘みが設けられている構成である。
【００１１】
請求項７は、袋クリップが計量容器に取り付けられている構成である。
【００１２】
請求項８は、袋クリップが、一対の封止部により袋の口を両側から挟み係止手段により封止部を結合する構成を有しており、一方の封止部にクリップの係止を解除するための係止解除片が設けられており、その係止解除片が摘みである構成である。
【発明の効果】
【００１３】
請求項１は、計量部の開口部から長さ方向に突出する端壁が設けられ、且つその端壁の少なくとも一部が計量部の外周壁から角度を付けて外側に張り出している。端壁が角度を付けて外側に張り出しているので、実質的に開口が急激に広がるのである。開口が狭いと粉体を投入する際に袋の口がずれないように注意を払わなければならないが、開口が急激に広がっていることにより、袋の口が多少ずれても確実に投入することができる。また、計量容器を立てて持ち、袋に収納されている粉体を開口から計量部に投入するときに、投入中の粉体が本来の小さな開口部からはみ出す方向に向かっても、粉体は長さ方向に突出する端壁に当たって計量部に落下するので粉体の飛散を防止することができる。
【００１４】
請求項２は、計量部の内面と端壁の内面とが滑らかに連続するように構成されている。したがって、投入している粉体が壁面に当たった場合に、粉体は端壁に付着せず計量部に円滑に落下する。
【００１５】
請求項３は、端壁が、長さ方向に等しく突出しておらず、端壁の一部のみが長さ方向に最も突出している。開口部の一部が突出していない通常の細長い計量容器であると、袋に収納されている粉体を計量部に投入するときに計量容器の開口よりも上から投入することになるから、投入により拡散した粉体が開口に届く前に開口の外に飛散する虞がある。請求項３は、端壁の一部のみが突出しているので、粉体を収納している袋の口を端壁の最も高い位置よりも下げて粉体を投入することができる。その際、袋の口を端壁に向ければ粉体は開口から飛散せず端壁に当たって計量部に落下するので粉体が飛散しないのである。
【００１６】
請求項４は、開口が計量容器の長さ方向に対して傾斜している。したがって、端壁には、最も高い位置の両側から徐々に低くなるように傾斜する側壁が形成されている。これにより、端壁の最も高い部分付近のほか、その両側の側壁でも粉体の飛散を防止することができる。
【００１７】
請求項５は、計量部の外周壁であって、最も突出している端壁部分に対向する側の表面に目盛が付されている。粉体を収納している袋の口を端壁の最も高い位置よりも下げて粉体を投入するときは、端壁の内壁面が作業者の方を向くから、目盛の付されている外周壁の部分も作業者の方を向くことになり、作業者は粉体を投入しているときに粉体の量を目盛によって容易に目視することができる。
【００１８】
請求項６は、最も突出している端壁の部分がある側に計量容器を持つための摘みが設けられている。したがって、摘みを持つ手が端壁の外側にあるので、粉体を投入する際に摘みを持つ手や指が邪魔にならず投入し易いのである。また、仮に、投入中の粉体が本来の小さな開口からはみ出す方向に向かっても、摘みを持つ指は端壁の外側にあるから、その指は端壁にガードされて粉体が指に付着することがない。
【００１９】
請求項７は、袋クリップが計量容器に取り付けられている。したがって、計量が終了したときは、その取り付けられている袋クリップで粉体が収納されている袋の口を封止することができるので便利である。また、計量容器に取り付けられている袋クリップで袋の口を封止すれば、常に粉体を収納する袋と計量容器を一体化させておくことができるから、計量時に計量容器を探す手間がかからない。
【００２０】
請求項８は、袋クリップが、一対の封止部により袋の口を両側から挟み係止手段により封止部を結合する構成を有しており、一方の封止部にクリップの係止を解除するための係止解除片が設けられており、その係止解除片が摘みである。したがって、計量容器に摘みを設けなくても、係止解除片を摘まんで計量することができる。
【図面の簡単な説明】
【００２１】
【図１】図１は袋クリップを取り付けた計量容器の正面図である。
【図２】図２は袋クリップを取り付けた計量容器の側面図である。
【図３】図３は袋クリップを取り付けた計量容器を正面側から見た斜視図である。
【図４】図４は袋クリップを取り付けた計量容器を背面側から見た斜視図である。
【図５】図５は図１におけるＡ−Ａ断面図である。
【図６】図６は図１におけるＢ−Ｂ断面図である。
【図７】図７は図１におけるＣ−Ｃ断面図である。
【図８】図８は計量容器の側面図である。
【図９】図９は計量容器の断面図である。
【図１０】図１０は計量容器を図９におけるＤ−Ｄ線で切った断面図である。
【発明を実施するための形態】
【００２２】
次に本発明の実施例について説明する。図１から図７は、袋クリップ２を取り付けた計量容器１を示している。この計量容器１は、主に粉体であるドライイーストを計量するものであり、１ｇから６ｇを計量することができるように形成されている。計量容器１は、細長く延びる計量部３と、その計量部３の開口部４から上方に延びる端壁５とから成り、透明なプラスチックで一体に形成されている。計量部３は、外周壁６で囲われており、底壁７を有する。計量部３は、その開口部４から底壁７に行くに従って断面が徐々に小さくなるように形成されている。また、計量部３は断面が半円形に近い形状に形成され、半円形に近い断面形状を持つ湾曲壁８と平面状の背壁９とを有する。計量部３は６ｇまでの計量が可能であり、湾曲壁８の表面には１ｇごとの目盛１０が付されている。前述したように、計量部３がその開口部４から底壁７に行くに従って断面が徐々に小さくなるように形成されているので、各目盛の間隔は一定でなく、下方に行くに従って目盛の間隔は広くなる。そのため、例えば下方の１ｇの目盛と２ｇの目盛との間隔が広いので、その間の１．５ｇも計量することができる。また、図１に示す１ｇごとの各目盛の間に０．５ｇ単位まで計量可能とするための印を加えてもよい。なお、これと異なる目盛が付されてもよいことは勿論である。背壁９の外表面両側には、後述する袋クリップ２を取り付けるためのガイド溝１２，１２が対向するように設けられている。
【００２３】
端壁５は、計量部３の背壁９から一体に延びる主端壁１３と、湾曲壁８から一体に延びる側壁１４，１４とを有する。また、端壁５は、計量部３の開口部４の全周に亘って長さ方向に等しく突出しておらず、端壁５の側壁１４，１４は主端壁１３よりも低く形成されている。側壁１４，１４の端縁１５，１５は、計量部３の湾曲壁８の上端中央部１６から斜め上方に上昇し、主端壁１３の端縁１７と滑らかな線をなして連続している。主端壁１３はその中央部が長さ方向に最も突出し端壁頂部１９を構成する。そして、主端壁１３の端縁１７はその端壁頂部１９を通り側壁１４，１４の端縁１５，１５と連続している。
【００２４】
主端壁１３は、計量部３の背壁９の延長線から約５０度の角度を付けて外側に張り出すように上方に延びている。主端壁１３は、背壁９に対して約５０度の角度のまま上方に延びているのではなく、背壁９に対する角度が徐々に小さくなるように弧状をなして上方に延びている。主端壁１３が弧状をなして延びているので、図５に示すように主端壁１３には窪み１８が形成される。なお、主端壁１３が背壁９に対して角度を付けて外側に延びているが、主端壁１３の内側面２０と背壁９の内側面２１との間に稜線は表われず、それらの面は滑らかに連続した曲面を形成している。
【００２５】
計量容器１は、計量部３にその開口部４から上方に延びる端壁５を一体に設けているので、その端壁５によって計量容器１の開口２２が構成される。その開口２２は、主端壁１３の端縁１７と側壁１４，１４の端縁１５，１５とで構成され、計量容器１の長さ方向に対して傾斜している。
【００２６】
計量容器１には袋クリップ２が着脱自在に取り付けられている。計量容器１は、袋クリップ２を取り付けた状態で使用することができる。袋クリップ２は、例えば粉体を収納している収納袋の口を封止するために用いられる。袋クリップ２は、一対の封止部２４，２５の一端がヒンジ２６で結合されている。一方の封止部２４の他端には係止突起２７が一体に形成されている。他方の封止部２５の他端には前記係止突起２７が係止する係止凸部２８が設けられ、この係止凸部２８はその係止を解除するための係止解除片２９に設けられている。一方の封止部２４の中央長さ方向に設けられている突壁１１が、他方の封止部２５の外壁２３，２３の間に入り込むことにより、袋の口が確実に閉じられる。係止解除片２９を端壁頂部１９方向に指先で押し曲げることにより係止凸部２８も移動し、ヒンジ２６の弾性により封止部２４が自然に開いて係止突起２７が係止凸部２８から外れることにより係止が解除され、両封止部２４，２５が開かれる。係止解除片２９を押し曲げるときに、一方の指を係止解除片２９に宛がい他方の指を端壁５のいずれかの位置に宛がって、それら２本の指が近づく方向に力を加えることにより係止解除片２９が曲がり、片手で両封止部２４，２５を開くことができる。係止解除片２９には孔部３１が形成されており、これにより係止解除片２９を容易に曲げることができる。
【００２７】
この袋クリップ２が計量容器１に取り付けられる構成について説明すると、計量部３の背壁９の外表面両側には、袋クリップ２を取り付けるためのガイド溝１２，１２が対向するように設けられている。また、袋クリップ２の他方の封止部２５には、ガイド溝１２，１２に係合させる一対のガイド突条３０，３０が設けられている。このガイド突条３０，３０の係止解除片２９側の端部を、ガイド溝１２，１２の底壁７側の端部から係止解除片２９の付け根が主端壁１３の外側面に当たるまで一杯に挿し込んで袋クリップ２を計量容器１に取り付ける。これにより、ヒンジ２６は底壁７側の端部に位置する。係止解除片２９は、外側に張り出している主端壁１３の下側に位置し、主端壁１３よりもさらに外側に突出している。この係止解除片２９は計量容器１を持つための摘みとして使用することができる。係止解除片２９は主端壁１３に近接しているので、その係止解除片２９を摘みとして摘まんだときに粉体の投入の操作がし易いのである。また、この係止解除片２９は、袋クリップ２を取り付けた計量容器１を横にして置いたときの転がり止めにもなる。なお、袋クリップ２は、計量容器１に対して反対向きに挿入することもできる。また、本発明では、計量容器１に袋クリップ２を取り付けないものとし、計量容器１を持つための摘みのみを着脱自在にあるいは計量容器１と一体に設ける構成であってもよい。計量容器１に摘みがなくてもよいことは勿論である。また、袋クリップ２を取り付けた計量容器１を立てて置くことができるようにしてもよい。例えば、図５に示すように、袋クリップ２のヒンジ２６は計量容器１の底壁７よりも下方に突出しているが、このヒンジ２６を底壁７よりも突出しない構成とすることにより、計量容器１を立てて置くことができる。あるいは、底壁７から外側に広がる幅広のフランジを設けてもよく、袋クリップ２を計量容器１に対して反対向きに挿入し係止解除片２９を支えとして立ててもよい。
【００２８】
次に、本発明の使用方法について粉体の計量を例にとって説明する。計量容器１は縦に持って使用する。持ち方は、袋クリップ２の係止解除片２９を摘みとして持つか、あるいは計量容器１の計量部３を持つ。その際、目盛１０を手前に向けて目視できるように持つ。収納袋の粉体の出口を端壁頂部１９よりも低くして粉体を投入する。収納袋の口の向き、すなわち粉体を投入する方向は、真下方向よりもやや主端壁１３又は側壁１４，１４寄りの方向とする。収納袋の口が端壁頂部１９よりも低い位置で、収納袋の口の向きを主端壁１３又は側壁１４，１４寄りの方向とすれば、それらの壁に当たった粉体は計量部３に落下するので粉体の飛散を効果的に防止できる。
【００２９】
また、主端壁１３は、計量部３の背壁９から外側に張り出すように上方に延びている。仮に、主端壁１３が背壁９から外側に張り出していないときは、計量部３の開口部４が狭くなり、粉体の飛散を避けるためには収納袋の口を突出している端壁５に近づけて投入しなければならない。そうしないと、突出した端壁５のない湾曲壁８の側から粉体が飛散する虞があるからである。ところが、収納袋の口を最も突出している端壁５の方に近づけようとすると、粉体の収納袋が端壁５に当たってしまい、袋の口を端壁５に十分に近づけることができないのである。これに対して、本発明のように主端壁１３が背壁９から外側に張り出していると、収納袋の口を主端壁１３の方に近づけても収納袋はその主端壁１３に当たらないので、収納袋の口を主端壁１３に寄せて粉体を投入することができる。計量が終了したときは、袋クリップ２の係止解除片２９を押し曲げて係止凸部２８に係止していた係止突起２７を外し、ヒンジ２６を中心に一方の封止部２４を開く。次いで、その封止部２４を閉じて収納袋の口を封止し、係止凸部２８に係止突起２７を係止させる。収納袋の口を封止するときに、一方の封止部２４を他方の封止部２５に近づけて行くと、封止部２４の係止突起２７の先端が係止解除片２９の表面に当たる。さらに封止部２４を封止部２５に押し付けると封止部２４の先端が係止凸部２８を押し、これにより係止解除片２９は端壁頂部１９方向に曲がるので、係止突起２７の先端は係止凸部２８を乗り越えて進みその係止凸部２８に係止される。このように、一方の封止部２４を他方の封止部２５に押し付けることにより自然に係止突起２７が係止凸部２８に係止される。これにより、収納袋の口が封止され、計量容器１と収納袋を一体的にして保管しておくことができる。また、家庭用のパン焼き器にはドライイーストの投入口が設けられているが、計量後にその投入口にドライイーストを投入するときに、主端壁１３がそのドライイースト投入するときの注ぎ口にもなって投入しやすいのである。
【００３０】
また、本発明は計量容器１から袋クリップ２を取り外して計量のみのために使用することもできる。その場合、前述したと同様に計量容器１を立てて上から粉体を投入して使用することもできるが、そのほかに、計量容器１を斜めにして、缶などの硬質の収納容器に入っている粉体を掬い取り計量することができる。缶に入っている粉体を計量するときは、まず計量容器１を斜めにして主端壁１３をその端壁頂部１９から粉体に差し入れ粉体を掬う。次いで、計量容器１を立てて掬い取った粉体を計量部３に流し入れ計量する。このように、計量容器１を斜めに持って粉体を掬うときに、主端壁１３が背壁９から外側に張り出していると、張り出した分だけ計量容器１を粉体の表面から浮かせて掬うことができる。したがって、摘みを有しない計量容器１を手に持って粉体を掬うときに、持つ手の指が粉体に触れる虞がなく粉体が指に付着することがないのである。仮に、主端壁１３が背壁９から外側に張り出していないと、計量容器１を斜めにして主端壁１３をその端壁頂部１９から粉体に差し入れたときに、計量容器１は粉体の表面に接近するから、計量容器１を持つ指先が粉体に触れて粉体が指に付着してしまうのである。また、缶の開口が十分に広くない場合で粉体の表面が缶の開口からかなり下がっているときは、計量容器１を斜めにしようとしても計量容器１が缶の口に当たって粉体を掬うことができない。そこで、計量容器１を逆さにやや立てて主端壁１３を粉体の中に差し入れて粉体を掬い取ることができる。しかし、主端壁１３が平面状であると、掬い取ろうとした粉体が主端壁１３の載らずすぐに落下してしまうので掬い取ることができない。これに対して、実施例に示した計量容器１は、図５に示すように主端壁１３に窪み１８が形成されて、主端壁１３があたかもスプーンの掬い部のような形態をなし、掬い取ろうとした粉体はこの窪み１８に入るので落下せず掬い取ることができるのである。
【００３１】
次に、実施例のサイズについて説明する。計量容器１の全長は約１３７ｍｍであり、最大幅は端壁５に存在し約３７ｍｍであり、最小幅は計量部３の下端部分であって約２０ｍｍである。サイズは以上の通りであるが、本発明がこれらの数値に限定されないことは勿論である。また、材料について説明すると、計量容器１はアクリロニトリルスチレン樹脂、袋クリップ２はポリプロピレン樹脂で形成されているが、これらの材料に限定されないことは勿論である。
【００３２】
なお、本発明は前述した構成に基づいて種々の態様をとることが可能である。例えば、端壁５を計量部３と別体に形成してもよい。計量容器１にガイド溝１２，１２を設けず、袋クリップ２などの付属品を取り付けることのない計量容器であってもよい。計量容器１に取付けられる袋クリップ２は実施例のものに限定されないことは勿論であり、例えば、ヘアクリップのように弾性部材を用いて一対の挟持片で袋の口付近を加圧状態で挟持するものであってもよい。計量容器１に着脱自在に取り付けられている袋クリップは、単体でクリップとして使用できる構成であってよく、そうでなくてもよい。袋クリップ２を計量容器１に取り付けるための構造は実施例に限定されないことは勿論である。袋クリップ２は計量容器１に着脱不能に取り付けられるものであってもよい。その場合、計量容器１が一方の封止部として袋の口を封止する構成であってもよい。
【産業上の利用可能性】
【００３３】
端壁５の少なくとも一部を計量部３の外周壁６から角度を付けて外側に張り出すように構成することにより、開口が狭い計量部に粉体を投入する際に、粉体の飛散を効果的に防止できる計量容器を提供できる。
【符号の説明】
【００３４】
１  計量容器、    ２  袋クリップ、    ３  計量部、    ４  開口部、    ５  端壁、    ６  外周壁、    ７  底壁、    ８  湾曲壁、    ９  背壁、    １０    目盛、    １１  突壁、    １２  ガイド溝、    １３  主端壁、    １４  側壁、    １５  側壁の端縁、    １６  上端中央部、    １７  主端壁の端縁、    １８  窪み、    １９  端壁頂部、    ２０  主端壁の内側面、    ２１  背壁の内側面、    ２２  開口、    ２３  外壁、    ２４  封止部、    ２５  封止部、    ２６  ヒンジ、    ２７  係止突起、    ２８  係止凸部、    ２９  係止解除片、    ３０  ガイド突条、    ３１  孔部
【図１】
2013184705.tif 000003
【図２】
2013184705.tif 000004
【図３】
2013184705.tif 000005
【図４】
2013184705.tif 000006
【図５】
2013184705.tif 000007
【図６】
2013184705.tif 000008
【図７】
2013184705.tif 000009
【図８】
2013184705.tif 000010
【図９】
2013184705.tif 000011
【図１０】
2013184705.tif 000012